(57)【要約】【課題】一台で右勝手、左勝手のいずれにも対応することができるラベル貼付装置を提供する。【解決手段】ラベルロール１を保持するとともに、ラベルロール１からラベルテープ３を繰り出すラベルテープ供給部２０と、ラベルテープ供給部２０に取り付けられ、一端側に台紙４の裏面に当接され台紙４を折り返してラベル５を剥離させる剥離部３９を備えるとともに、他端側にラベル５が剥離された帯状の台紙４が巻き付けられる巻き取りローラー４１を備えたラベル貼付部３０とからなるラベル貼付装置１０において、ラベルテープ供給部２０に対してラベル貼付部３０を反転取り付け可能に取り付ける。【選択図】図６
2009057103.tif 000002
【特許請求の範囲】
【請求項１】
帯状の台紙にラベルを貼り付けてあるラベルテープがロール状に巻かれて形成されたラベルロールを保持するとともに、該ラベルロールから前記ラベルテープを繰り出すラベルテープ供給部と、
該ラベルテープ供給部に取り付けられ、一端側に前記台紙の裏面に当接され前記台紙を折り返して前記台紙から前記ラベルを剥離させる剥離部を備えるとともに、前記ラベルが剥離された前記台紙が巻き付けられる巻き取りローラーを備えたラベル貼付部とからなるラベル貼付装置であって、
前記ラベルテープ供給部に対して前記ラベル貼付部を反転取り付け可能に装着していることを特徴とするラベル貼付装置。
【請求項２】
前記ラベル貼付部は、略上下対称に形成され、ラベルテープ供給部に設けた連結部に対して反対方向に取り付け可能としたことを特徴とする請求項１に記載のラベル貼付装置。
【請求項３】
前記ラベルテープ供給部の一側面に、前記ラベルロールが装着されるロール取り付け軸が備えられ、
前記ロール取り付け軸の端部に、該ロール取り付け軸の軸線方向から略垂直に回動し、前記ラベルロールの一端面を押さえる挟込部材が設けられたことを特徴とする請求項１または２に記載のラベル貼付装置。
【請求項４】
前記ラベルテープ供給部が、前記ラベル貼付部との連結部を支点として回動可能であることを特徴とする請求項１から３のいずれか一項に記載のラベル貼付装置。
【発明の詳細な説明】
【技術分野】
【０００１】
本発明は、帯状の台紙からラベルを剥離し、該ラベルをベルトコンベヤー等に載せられ送られてくる被貼付物に貼り付けるラベル貼付装置に関する。
【背景技術】
【０００２】
一般に、商品の生産工場や小売業のバックヤード等では、商品等にラベルを貼り付けるための装置が使用されている。これは、軸管を芯にロール状に巻かれたラベルテープ（帯状の台紙の表面にラベルが仮着されたもの）が回転自在に保持され、ロール状に巻かれたラベルテープから延びる帯状のラベルテープが複数のローラーに巻回されるとともに一端側に配置された剥離部によって折り返されて構成された装置である。
【０００３】
この装置によれば、ローラーをモーター等で回転させることでラベルテープはその長手方向に移送され、該ラベルテープが折り返される剥離部で台紙からラベルが剥離されるようになっている。そして剥離部の下方にベルトコンベヤー等を配置して被貼付物を連続的に剥離部下方に運ぶことで、被貼付物にラベルを貼り付けることができるように構成されている。また、台紙の端部は巻き取りローラーに掛止され、巻き取りローラを回転させることでラベルが剥離された台紙は巻き取りローラーに巻き取られて回収される（例えば特許文献１参照）。
【特許文献１】特開２００５−８１５２号公報
【発明の開示】
【発明が解決しようとする課題】
【０００４】
ところで、上記のようなラベル貼付装置においては、被貼付物はラベル貼付装置の剥離部が備えられた一端側の反対側からベルトコンベヤー等に載せられて送られてきて、該ラベル貼付装置の下方を通過する際に最終的に剥離部によってラベルが貼り付けられる。このように、従来のラベル貼付装置では一方向から送られてくる被貼付物にしか対応することができないため、ユーザーは、ベルトコンベヤー等の流れる方向に合わせてラベル貼付装置の向きを変える必要がある。
【０００５】
しかしながら、工場等の設備状況によってスペースが限られている場合や、作業に従事するオペレーター等の位置が定まっている場合等は、ベルトコンベヤー等の流れる方向に対応するようにラベル貼付装置の向きを変えることが出来ないこともあり、このような場合、ユーザーは右勝手用と左勝手用との二種類のラベル貼付装置のうち、自らの設備状況に適した一方を選択して用いる必要がある。これに伴って、メーカーは、右勝手用と左勝手用のラベル貼付装置を用意しなければならず、生産管理、在庫管理、コストアップ等の種々の障害があった。
【０００６】
この発明はこのような課題に鑑みて、一台で右勝手と左勝手とのいずれにも対応することができ、ユーザーの設備状況に左右されず柔軟に使用することができるとともに、メーカーの生産管理、在庫管理の手間を減らしコストダウンを図ることができるラベル貼付装置を提供することを目的とする。
【課題を解決するための手段】
【０００７】
前記課題を解決するため、この発明は以下の手段を提案している。
即ち、本発明に係るラベル貼付装置は、帯状の台紙にラベルを貼り付けてあるラベルテープがロール状に巻かれて形成されたラベルロールを保持するとともに、該ラベルロールから前記ラベルテープを繰り出すラベルテープ供給部と、該ラベルテープ供給部に取り付けられ、一端側に前記台紙の裏面に当接され前記台紙を折り返して前記台紙から前記ラベルを剥離させる剥離部を備えるとともに、前記ラベルが剥離された前記台紙が巻き付けられる巻き取りローラーを備えたラベル貼付部とからなるラベル貼付装置であって、前記ラベルテープ供給部に対して前記ラベル貼付部を反転取り付け可能に装着していることを特徴としている。
【０００８】
このような構成のラベル貼付装置では、ラベル貼付部は、その一端側に位置する剥離部がラベルテープ供給部に対して、例えば右方を向くようにしてラベルテープ供給部に取り付けられている状態から、ラベルテープ供給部に対してラベル貼付部の剥離部が反対側を向くように、即ち左方を向くように反転させて取り付け直すことで、右方向きの剥離部を左方向きに構成し直すことができる。従って、一台のラベル貼付装置で右勝手用と左勝手用との２種類のラベル貼付装置を構成することが可能となる。
【０００９】
また、本発明に係るラベル貼付装置においては、前記ラベル貼付部は略上下対称に形成され、ラベルテープ供給部に設けた連結部に対して反対方向に取り付け可能としたことを特徴としている。
【００１０】
ラベル貼付部が略上下対称に形成されているため、ラベル貼付部の一端側に位置する剥離部が反対方向を向くように取り付けても、ラベル貼付部の構成要素の配置が上下方向で変わることはないため、右勝手用と左勝手用との２種類のラベル貼付装置を構成することが可能となる。
【００１１】
さらに、本発明に係るラベル貼付装置は、前記ラベルテープ供給部の一側面に、前記ラベルロールが装着されるロール取り付け軸が備えられ、前記ロール取り付け軸の端部に、該ロール取り付け軸の軸線方向から略垂直に回動し、前記ラベルロールの一端面を押さえる挟込部材が設けられたことを特徴としている。
【００１２】
ロール取り付け軸にラベルロールを装着し、この状態でロール取り付け軸の端部の挟込部材をロール取り付け軸の軸線方向から垂直に回動させて、ラベルロールの一端面に当接させる。このようにして、挟込部材によってラベルロールを押さ込むことによって、ラベルロールを確実にラベルテープ供給部に保持することができる。
【００１３】
さらに、本発明に係るラベル貼付装置は、前記ラベルテープ供給部が、前記ラベル貼付部との連結部を支点として回動可能であることを特徴としている。
【００１４】
ラベルテープ供給部をラベル貼付部との連結部を支点として回動させて傾斜角度を調整することができるため、例えばスペースが限られた箇所等にラベル貼付装置を設置する場合であっても、そのスペースに適したようにラベルテープ供給部の傾斜角度を変えることで柔軟に対応させて設置することが可能となる。
【発明の効果】
【００１５】
本発明のラベル貼付装置によれば、一台で右勝手と左勝手とのいずれにも対応することが可能となり、ユーザーの設備状況に左右されず柔軟に使用することができるとともに、メーカーの生産管理、在庫管理の手間を減らしコストダウンを図ることが可能となる。
【発明を実施するための最良の形態】
【００１６】
以下、本発明に係るラベル貼付装置の実施の形態について図１から図７を用いて説明する。図１は本実施形態に係るラベル貼付装置の斜視図、図２は本実施形態に係るラベル貼付装置に使用するラベルテープの斜視図、図３はラベルテープ供給部の正面図、図４は図３におけるＡ方向矢視図、図５はラベル貼付部の正面図、図６はラベル貼付部を右勝手に装着したラベル貼付装置の正面図、図７はラベル貼付部を右勝手に装着したラベル貼付装置の正面図である。
【００１７】
ラベル貼付装置１０は、図１に示すように、ラベルテープ供給部２０とラベル貼付部３０とから概略構成され、ベルトコンベヤー等に載せられて運ばれてきた被貼付物Ｗにラベル５を貼り付けるための装置であり、稼動時にはラベルテープ供給部２０にラベルロール１が取り付けられる。
【００１８】
図２に示すように、ラベルロール１は、円筒形の軸管２と該軸管２を芯としてロール状に巻かれたラベルテープ３とから構成されており、該ラベルテープ３は帯状の台紙４と、この台紙４の表面に仮着されたラベル５とから構成されている。
【００１９】
ラベルテープ供給部２０は、図１に示すように、ラベル貼付装置１０の上部に位置しており、ラベルロール１を保持するとともにラベルテープ３を供給する役割を有している。このラベルテープ供給部２０は、図１又は図３に示すように、四角平板状の第１ベース本体２２と、この第１ベース本体２２の一側面が下方に向かって延びるようにして形成された基部２３とから構成される第１ベース２１を有している。
【００２０】
この第１ベース２１の基部２３の下端側には、図３に示すように該基部２３を略円形に貫通するようにして形成された連結孔２４が形成されている。また、第１ベース２１における第１ベース本体２２と基部２３との境界部には、該第１ベース２１から突出するようにして回転自在のガイドローラー２５が設けられている。なお、このガイドローラー２５の外周部には、該ガイドローラーの軸方向に一定の間隔を空けてリング２５ａが２つ設けられており、この２つのリング２５ａ間の幅をラベルテープ３の幅と略同一になるようにリング２５ａの位置を調整することによって、ガイドローラー２５に巻装されたラベルテープ３を一定の方向へ案内することができる。
【００２１】
また、第１ベース２１における第１ベース本体２２上部には、該第１ベース本体２２から突出するようにしてロール取り付け軸２６が設けられており、このロール取り付け軸２６にラベルロール１の軸管２が挿通されるようにして、該ラベルロール１がラベルテープ供給部２０に取り付けられる構成とされている。なお、図３及び図４に示すように、第１ベース本体２２には、該第１ベース本体２２に当接するようにして、ロール取り付け軸２６を中心とした円盤形上を有する支持円盤２８が取り付けられている。なお、本実施形態では、該支持円盤２８は透明プラスチック等の透明部材で構成されている。
【００２２】
そして、第１ベース本体２２から突出するロール取り付け軸２６の先端部には、例えば金属等からなる棒状部材を略Ｕ字形状に折り曲げることにより形成された挟込部材２７が取り付けられている。具体的には図４に示すように、該挟込部材２７は、そのＵ字の開口側端部が、ロール取り付け軸２６の先端部に回動可能に取り付けられており、ロール取り付け軸２６の端部を支点として、ロール取り付け軸２６の軸方向と該軸線に垂直な方向との間で回動自在となるように構成されている。なお、本実施形態においては、この挟込部材２７は、その回動方向がロール取り付け軸２６の軸線に対して対称となるように上下方向に沿って２つ設けられている。
【００２３】
これらの構成からなるラベルテープ供給部２０は、本実施形態においては、該ラベルテープ供給部２０の図３における左右方向の中央に上下方向に延びる中心線ｌを対称線として、左右対称となるように形成されている。そして、図１に示すように、このラベルテープ供給部２０の下部に、ラベルテープ供給部２０から供給されたラベルテープ３を移送するとともに、台紙４からラベル５を剥離させ、さらに台紙４を巻き取って回収するラベル貼付部３０が、その長手方向が略水平方向に延びるように設置されている
【００２４】
図５に示すように、ラベル貼付部３０は、後方側（図５における左側）に第２ベース３１を、前方側（図５における右側）に剥離部３９を備えている。第２ベース３１は、前後方向（図５における左右方向）を長手方向とした平板形状を有する第２ベース本体３２と、第２ベース本体３２の一側面が前方側に延びるようにして形成された矩形部３３とから構成される第２ベース３１を有している。
【００２５】
この第２ベース３１の矩形部３３の前部には、図５に破線で示すように、略直方体の形状を有し、後述する剥離部３９のアーム３９ａを取り付けるための剥離部支持板３５が設けられている。また、第２ベース３１の矩形部３３における剥離部支持板３５を取り付けた箇所の直ぐ後方側には開口部が形成されており、この開口部と連通状態となるようにして、円筒形状を有する連結管３６が取り付けられている。さらに、該連結管３６の直ぐ後方側であって、第２ベース３１における矩形部３３と第２ベース本体３２との境界部には、連結管３６と平行となるようにして、軸回転自在の駆動ローラー３７が設けられている。この駆動ローラー３７は、図示しないモーターに連結されており、このモーターによって任意の回転方向に駆動される構成とされている。
【００２６】
そして、これら剥離部支持板３５、連結管３６及び駆動ローラー３７は、図１に示すように、第２ベース３１の矩形部３３と矩形プレート３８によって幅方向両側から挟まれるようにして支持されている。なお、矩形プレート３８には、連結管３６と連通状態となる開口部３８ａが設けられている。
【００２７】
また、剥離部支持板３５におけるラベル貼付部３０の前方側に臨む面には、前方側に向かって延びるとともに、幅方向に一定の間隔を空けて一対のアーム３９ａが設けられており、このアーム３９ａの先端に剥離プレート３９ｂが設置されている。剥離プレート３９ｂは、前方側に向かって延びる平面視矩形板であって、ラベルテープ３の折り返し箇所である先端部は厚み方向の幅が鋭角の尖鋭部に形成されている。そして、これらアーム３９ａと剥離プレート３９ｂとで、剥離部３９を構成している。なお、アーム３９ａは、剥離部支持板３５に対してラベル貼付部３０の前後方向（図５における左右方向）に伸縮可能な構成とされてもよい。
【００２８】
さらに、図５に示すように第２ベース本体３２の上記の駆動ローラー３７の直ぐ後方側には、駆動ローラー３７と当接するようにして従動ローラー４０が設けられており、台紙４が駆動ローラー３７と従動ローラー４０とに挟持されて繰り出される。
【００２９】
そして、第２ベース本体３２の後方部には、巻き取りローラー４１が設けられている。この巻き取りローラー４１は、駆動ローラー３７を回転させる図示しないモーターの回転軸と、例えばベルト等で連結されていることによりモーターの回転が伝達される構成とされており、これによって、巻き取りローラー４１は駆動ローラー３７と同一の回転速度で、かつ同一の回転方向に回転する。なお、巻き取りローラー４１には、台紙４の一端を固定するための台紙固定手段４１ａが設けられている。
【００３０】
以上のような構成のラベル貼付部３０は、図５に示すように、ラベル貼付部３０の上下方向中央に、前後方向に延びる中心線ｍを対称線として、略上下対称となるように構成されている。
【００３１】
次に、ラベルテープ供給部２０とラベル貼付部３０とを連結させて、右勝手用のラベル貼付装置１０を構成する際の手順について説明する。まず、ラベルテープ供給部２０をその基部２３を下方に向けた状態で、該ラベルテープ供給部２０の下部にラベル貼付部３０を、図６に示すように剥離プレート３９ｂが右方を向くようにして配置する。この際、ラベルテープ供給部２０の基部２３に形成された連結孔２４と、ラベル貼付部３０の連結管３６の開口部とを連通状態として、これら連結孔２４及び連結管３６を貫通するようにして連結棒５０を挿入する。これによって、ラベルテープ供給部２０とラベル貼付部３０とが連結されて右勝手用のラベル貼付装置１０が構成される。なおこの際、連結棒５０を回転軸としてラベルテープ供給部２０はラベル貼付部３０に対して回動可能とされている。
【００３２】
次に、上記のような構成からなるラベル貼付装置１０の使用方法を説明する。まず、ラベル貼付装置１０のラベルテープ３をセットする方法について説明する。ラベルテープ３をセットする際には、ロール取り付け軸２６の端部に設けられた２つの挟込部材２７を、図４の二点鎖線に示すように該ロール取り付け軸２６の軸線方向に回動させて、挟込部材２７をロール取り付け軸２６と同一方向に延びた状態にする。そして、挟込部材２７の先端からラベルロール１の軸管２を挿通させ、ロール取り付け軸２６の外周にラベルロール１を装着させるとともにラベルロール１の一端面を支持円盤２８に当接させる。
【００３３】
そしてこの状態において、２つの挟込部材２７を、ロール取り付け軸２６の軸線に垂直な方向に回動させ、２つの挟込部材２７をラベルロール１の他端面に当接させる。これによって、ラベルロール１はその一端面が支持円盤２８に支持されるとともに、他端面が２つの挟込部材２７によって押さえ込まれるようにして支持され、ラベルテープ供給部２０に確実に保持される。
【００３４】
次に、図６に示すように、ラベルロール１からラベルテープ３をラベル貼付装置１０後方側（図６における左側）に引き出し、引き出されたラベルテープ３を、ガイドローラー２５に上方から掛けて前方側（図６において右側）に折り返す。この際、ガイドローラー２５に設けられたリング２５ａの位置を調整して、ラベルテープ３の幅方向両端側を支持して該ラベルテープ３を前方に案内するように設定する。
【００３５】
そしてガイドローラー２５によってラベル貼付装置１０前方側に折り返されたラベルテープ３を、ラベル貼付装置１０の最前方に位置する剥離部３９の剥離プレート３９ｂの先端部で後方に折り返す。この剥離プレート３９ｂの先端部では、ラベルテープ３が鋭角に折り返されるため、台紙４からラベル５が剥離し、ラベル５が剥離された台紙４のみがラベル貼付装置１０の後方に折り返されることになる。このようにラベル貼付装置１０の後方側に折り返された台紙４は、駆動ローラー４０に下方から掛けられるとともに、該駆動ローラー３７と従動ローラー４０とに挟み込まれながら、該従動ローラー４０の上方に巻きかけられてＳ字の軌道を描くようにしてラベル貼付装置１０の後方側に引き出される。そして台紙４は、巻き取りローラー４１の下方から巻き掛けられるとともに、台紙４の端部が台紙固定手段４１ａに係止されて固定される。
【００３６】
次に、このラベル貼付装置１０を使用して、ラベル５を被貼付物Ｗに貼着する方法について説明する。上記のように、ラベルテープ供給部２０の剥離部３９が右方を向いたラベル貼付装置１０は、右勝手用のラベル貼付装置１０であり、この場合、ベルトコンベヤー等によって被貼付物が図６のラベル貼付装置１０の後方側（図６における左側）から前方側（図６における右側）へ送られるようにラベル貼付装置１０とベルトコンベヤー等とを配置する。また、このとき、被貼付物Ｗが剥離プレート３９ｂの先端下方に運ばれるように同期させる。
【００３７】
なお、このようにラベル貼付装置１０を配置する際、本ラベル貼付装置１０においては連結棒５０を支点としてラベルテープ供給部２０がラベル貼付部３０に対して回動可能であるため、ラベルテープ供給部２０のラベル貼付部３０に対する傾斜角度を一定の範囲で変えることができる。従って、例えばスペースが限られた箇所等にラベル貼付装置１０を設置する場合であっても、ラベルテープ供給部２０の傾斜角度を変えることで、そのスペースに柔軟に対応させて設置することが可能となる。
【００３８】
そして、ラベル貼付装置１０の下部を後方側方から前方側に向けて被貼付物Ｗがベルトコンベヤー等によって送られるとともに、図示しないモーターの稼動によってラベル貼付装置１０の駆動ローラー３７及び巻き取りローラー４１が回転する。これによって、ラベルテープ３がラベルロール１から引っ張り出されるようにして矢印方向へ繰り出され、ガイドローラー２５を経由して剥離プレート３９ｂに至り、この剥離プレート３９ｂによってラベルテープ３からラベル５が剥離されるとともに被貼付物Ｗに該ラベル５が貼着される。そして、台紙４は駆動ローラー３７、従動ローラー４０を経由して、巻き取りローラー４１にロール状に巻き取られる。
【００３９】
本実施形態におけるラベル貼付装置１０は、上記のように右勝手用のものから、左勝手用のものに変換することが可能である。以下、その手順について説明する。まず、図６に示すように、該ラベル貼付部３０の一端側に位置する剥離部３９が右方を向くようにして、ラベルテープ供給部２０とラベル貼付部３０とが連結されている状態において、連結棒５０を取り除くことによって、ラベルテープ供給部２０とラベル貼付部３０との連結を解除する。次に、ラベルテープ供給部２０の向きを固定したままの状態で、ラベル貼付部３０を前後方向に延びる鉛直面に沿って反対向きとなるように、即ち剥離部３９が左方を向くように転換させる。そして、再び連結棒５０によってラベルテープ供給部２０とラベル貼付部３０とを連結させる。これにより、剥離部３９が右方を向いた右勝手用のラベル貼付装置１０から、図７に示すように剥離部３９が左方を向いた左勝手用のラベル貼付装置１０に構成し直すことができる。この左勝手用のラベル貼付装置１０は、ラベル貼付装置１０の下部をベルトコンベヤー等によって図７における右方から左方に向けて送られてくる被貼付物Ｗにラベル５を貼り付けることができる。
【００４０】
この際、本実施形態におけるラベル貼付装置１０においては、ラベルテープ供給部２０が略左右対称であるとともにラベル貼付部３０が略上下対称に構成されていることから、上記のようにラベル貼付部３０の剥離部３９の向きを転換させて連結した場合には、転換前と転換後とで、右勝手用と左勝手用との２種類のラベル貼付装置１０が形成されることになる。従って、一台のラベル貼付装置１０で、右勝手と左勝手の両方に対応することが可能となる。
【００４１】
よって、本実施形態に係るラベル貼付装置１０によれば、一台で右勝手、左勝手のいずれにも対応することが可能となり、ユーザーの設備状況に左右されず柔軟に使用することができるとともに、メーカーの生産管理、在庫管理の手間を減らしコストダウンを図ることが可能となる。
【００４２】
以上、本発明であるラベル貼付装置１０の実施形態について詳細に説明したが、本発明の技術的思想を逸脱しない限り、これらに限定されることはなく、多少の設計変更等も可能である。例えば、本実施形態においては、ラベルテープ供給部２０が左右対称に形成されているが、ラベル貼付部３０にラベルテープを供給することができる限り、必ずしも左右対称である必要はない。
【００４３】
また、本実施形態においては、ラベル貼付部３０が上下対称に形成されているが、ラベル貼付部３０の転換前と転換後とで、剥離部３９でラベルテープ３からラベル５を剥離させて、巻き取りローラー４１によって台紙４を回収する構成とされている限り、厳密に上下対称に形成する必要はなく、ラベル貼付部３０のそれぞれにおける構成要素の対称性に多少のずれがあってもよい。
【図面の簡単な説明】
【００４４】
【図１】本実施形態に係るラベル貼付装置の斜視図である。
【図２】本実施形態に係るラベル貼付装置に使用するラベルテープの斜視図である。
【図３】ラベルテープ供給部の正面図である。
【図４】図３におけるＡ方向矢視図である。
【図５】ラベル貼付部の正面図である。
【図６】ラベル貼付部を右勝手に装着したラベル貼付装置の正面図である。
【図７】ラベル貼付部を右勝手に装着したラベル貼付装置の正面図である。
【符号の説明】
【００４５】
１      ラベルロール
３      ラベルテープ
４      台紙
５      ラベル
１０    ラベル貼付装置
２０    ラベルテープ供給部
２６    ロール取り付け軸
２７    挟込部材
３０    ラベル貼付部
３９    剥離部
４１    巻き取りローラー
５０    連結棒（連結部）
Ｗ      被貼付物
【図１】
2009057103.tif 000003
【図２】
2009057103.tif 000004
【図３】
2009057103.tif 000005
【図４】
2009057103.tif 000006
【図５】
2009057103.tif 000007
【図６】
2009057103.tif 000008
【図７】
2009057103.tif 000009